(57)【要約】      （修正有）【課題】衣類に着脱が容易にできると共に、保持が確実にできる玩具用ホルダ及びホルダ付玩具を提供する。【解決手段】衣類３０に取付けられる衣類取付部２０ａと、玩具１０を着脱可能に保持する玩具保持部２０ｂと、を備え、衣類取付部は、第１壁２１と、第１壁との間に衣類が挿入される隙間をあけて配置された第２壁２２と、第１壁に揺動可能に軸支されており、揺動に応じて、隙間Ｓへの衣類の挿入方向及び第１壁と第２壁との対向方向に隙間の内側で移動される突起２３ｂを有する固定操作部２３と、を含み、固定操作部は、突起と第２壁との間で衣類を挟持する第１固定位置と突起が第１固定位置よりも隙間の挿入開口側に配置される第２固定位置とに揺動可能で、第２固定位置における突起の先端部と第２壁との対向間隔は、第１固定位置における突起の先端部と第２壁との対向間隔より小さい玩具用ホルダ２０及び該玩具用ホルダを備えたホルダ付玩具。【選択図】図１
2018175307.tif 000002
【特許請求の範囲】
【請求項１】
衣類に取付けられる衣類取付部と、
玩具を着脱可能に保持する玩具保持部と、
を備え、
前記衣類取付部は、
第１壁と、
前記第１壁との間に前記衣類が挿入される隙間をあけて配置された第２壁と、
前記第１壁に揺動可能に軸支されており、揺動に応じて、前記隙間への前記衣類の挿入方向及び前記第１壁と前記第２壁との対向方向に前記隙間の内側で移動される突起を有する固定操作部と、
を含み、
前記固定操作部は、前記突起と前記第２壁との間で前記衣類を挟持する第１固定位置と、前記突起が前記第１固定位置よりも前記隙間の挿入開口側に配置される第２固定位置とに揺動可能であり、
前記第２固定位置における前記突起の先端部と前記第２壁との対向間隔は、前記第１固定位置における前記突起の先端部と前記第２壁との対向間隔より小さい玩具用ホルダ。
【請求項２】
請求項１記載の玩具用ホルダであって、
前記固定操作部は、前記突起が前記第１固定位置よりも前記挿入方向の奥側に配置される開放位置に揺動可能であり、
前記開放位置における前記突起の先端部と前記第２壁との対向間隔は、前記第１固定位置における前記突起の先端部と前記第２壁との対向間隔より大きい玩具用ホルダ。
【請求項３】
請求項１又は２記載の玩具用ホルダであって、
前記固定操作部は、前記第１壁を挟んで前記第２壁とは反対側に配置される操作ツマミをさらに有し、
前記操作ツマミは、前記第２固定位置において、前記第１壁に当接する玩具用ホルダ。
【請求項４】
請求項１〜３の何れか一項に記載の玩具用ホルダであって、
前記突起の先端部には、粗面加工が施されている
玩具用ホルダ。
【請求項５】
請求項１〜４の何れか一項に記載の玩具用ホルダであって、
前記玩具が前記玩具保持部に対して前記挿入方向に沿って着脱される玩具用ホルダ。
【請求項６】
玩具と、
衣類に取付けられる衣類取付部及び前記玩具を着脱可能に保持する玩具保持部を有する玩具用ホルダと、
を備え
前記衣類取付部は、
第１壁と、
前記第１壁との間に前記衣類が挿入される隙間をあけて配置された第２壁と、
前記第１壁に揺動可能に軸支されており、揺動に応じて、前記隙間への前記衣類の挿入方向及び前記第１壁と前記第２壁との対向方向に前記隙間の内側で移動される突起を有する固定操作部と、
を含み、
前記固定操作部は、前記突起と前記第２壁との間で前記衣類を挟持する第１固定位置と、前記突起が前記第１固定位置よりも前記隙間の挿入開口側に配置される第２固定位置とに揺動可能であり、
前記第２固定位置における前記突起の先端部と前記第２壁との対向間隔は、前記第１固定位置における前記突起の先端部と前記第２壁との対向間隔より小さくなされ、
前記玩具は、前記玩具保持部に、前記第１壁を挟んで前記第２壁とは反対側に保持され、
前記固定操作部は、揺動操作をする操作ツマミが、前記第１壁と前記玩具本体との間で揺動位置規制される
ホルダ付玩具。
【発明の詳細な説明】
【技術分野】
【０００１】
本発明は、玩具を他のものに取付ける際に用いられる玩具用ホルダ及びホルダ付玩具に関する。
【背景技術】
【０００２】
従来、携帯品を衣類等に固定するのにホルダが用いられている。例えば、特許文献１に記載されたホルダは、ホルダをベルトなどの衣類に装着するためのベルト装着部材と、携帯電話等の携帯品を着脱可能な携帯品支持部材とを有している。そして、このベルト装着部材は、ベルトを挿入する取付開口部分が弾性変形して開口可能であると共に、ベルトが挿入された後でベルトから抜け落ちないように取付開口部分を閉じる折り返し片が設けられた構造を有している。
【先行技術文献】
【特許文献】
【０００３】
【特許文献１】登録実用新案第３０５９０１０号公報
【発明の概要】
【発明が解決しようとする課題】
【０００４】
特許文献１に記載されたホルダにおいては、ホルダを衣類から着脱する際に、折り返し片の外側に突設された突片を適宜方向に押す操作をすることで取付開口部分を開いてベルトをベルト装着部から出し入れする。しかしながら、例えば、子供や幼児のような手指の力の弱い使用者には、取付開口部分を開きながらベルトを出し入れする２つの作業を同時に行うことは困難である。また、幼児のようにベルトを着用しない使用者にとっては、ホルダを直接ズボンに取り付けることになるが、この場合、取り付ける部分が布で柔らかいだけでなく、操作する突片がズボンの内面側に位置することになるため、ホルダの取り外しのために突片を操作することはズボンを着用したままでは極めて困難な操作となる。
【０００５】
また、特許文献１に記載されたホルダにおいて、衣類に対するホルダの固定強度を高めるには、ベルトを囲む前板と後板とを含むベルト装着部材の剛性を高めることになるが、剛性を高めると、衣類に対するホルダの着脱操作時の開き操作がし難くなる問題を有している。
【０００６】
本発明は、衣類に取付け取り外しが比較的容易にできると共に、保持が比較的確実にできる玩具用ホルダ及びホルダ付玩具を提供することを目的とする。
【課題を解決するための手段】
【０００７】
本発明に係る玩具用ホルダは、衣類に取付けられる衣類取付部と、玩具を着脱可能に保持する玩具保持部と、を備え、前記衣類取付部は、第１壁と、前記第１壁との間に前記衣類が挿入される隙間をあけて配置された第２壁と、前記第１壁に揺動可能に軸支されており、揺動に応じて、前記隙間への前記衣類の挿入方向及び前記第１壁と前記第２壁との対向方向に前記隙間の内側で移動される突起を有する固定操作部と、を含み、前記固定操作部は、前記突起と前記第２壁との間で前記衣類を挟持する第１固定位置と、前記突起が前記第１固定位置よりも前記隙間の挿入開口側に配置される第２固定位置とに揺動可能であり、前記第２固定位置における前記突起の先端部と前記第２壁との対向間隔は、前記第１固定位置における前記突起の先端部と前記第２壁との対向間隔より小さいことを特徴とする。
【０００８】
また、本発明に係る玩具用ホルダにおいては、前記固定操作部は、前記突起が前記第１固定位置よりも前記挿入方向の奥側に配置される開放位置に揺動可能であり、前記開放位置における前記突起の先端部と前記第２壁との対向間隔は、前記第１固定位置における前記突起の先端部と前記第２壁との対向間隔より大きくてもよい。
【０００９】
また、本発明に係る玩具用ホルダにおいては、前記固定操作部は、前記第１壁を挟んで前記第２壁とは反対側に配置される操作ツマミをさらに有し、前記操作ツマミは、前記第２固定位置において、前記第１壁に当接するように構成されてもよい。
【００１０】
また、本発明に係る玩具用ホルダにおいては、前記突起の先端部には、粗面加工が施されていてもよい。
【００１１】
また、本発明に係る玩具用ホルダにおいては、前記玩具が前記玩具保持部に対して前記挿入方向に沿って着脱される構成でもよい。
【００１２】
また、本発明に係るホルダ付玩具は、玩具と、衣類に取付けられる衣類取付部及び前記玩具を着脱可能に保持する玩具保持部を有するホルダと、を備え前記衣類取付部は、第１壁と、前記第１壁との間に前記衣類が挿入される隙間をあけて配置された第２壁と、前記第１壁に揺動可能に軸支されており、揺動に応じて、前記隙間への前記衣類の挿入方向及び前記第１壁と前記第２壁との対向方向に前記隙間の内側で移動される突起を有する固定操作部と、を含み、前記固定操作部は、前記突起と前記第２壁との間で前記衣類を挟持する第１固定位置と、前記突起が前記第１固定位置よりも前記隙間の挿入開口側に配置される第２固定位置とに揺動可能であり、前記第２固定位置における前記突起の先端部と前記第２壁との対向間隔は、前記第１固定位置における前記突起の先端部と前記第２壁との対向間隔より小さくなされ、前記玩具は、前記玩具保持部に、前記第１壁を挟んで前記第２壁とは反対側に保持され、前記固定操作部は、揺動操作をする操作ツマミが、前記第１壁と前記玩具本体との間で揺動位置規制されることを特徴とする。
【発明の効果】
【００１３】
本発明によれば、比較的取付け易く、且つ比較的外れ難い玩具用ホルダ及びホルダ付玩具を提供することができる。  
【図面の簡単な説明】
【００１４】
【図１】本発明の実施形態を説明するための、玩具用ホルダの一例における玩具及び玩具用ホルダの分解斜視図である。
【図２】図１の玩具用ホルダの分解斜視図である。
【図３】図２に示す玩具用ホルダにおける操作ツマミの動作を示すための概略側面である。
【図４】図２に示す玩具用ホルダの操作の一例を示す概略側面である。
【図５】本発明の実施形態を説明するための、ホルダ付玩具の一例における概略側面図である。
【図６】図５に示すホルダ付玩具の操作の一例を示す概略側面図である。
【発明を実施するための形態】
【００１５】
図１は、本発明の実施形態の一例における玩具及び玩具用ホルダの分解斜視図であり、図２は、玩具用ホルダの分解斜視図、図３は、玩具用ホルダにおける操作ツマミの動作を示すための概略側面、図４は、玩具用ホルダの操作の一例を示す概略側面である。
【００１６】
玩具用ホルダ２０は、玩具１０を、衣類３０に取付けることができる構造を有している。すなわち、図１に示すように、玩具用ホルダ２０は、大きく分けて、衣類３０で、例えば、子供のズボン等の上縁部３０ｕに取付けられる衣類取付部２０ａと、玩具１０を着脱可能に保持する玩具保持部２０ｂと、を備えている。
【００１７】
衣類取付部２０ａは、第１壁２１と、この第１壁２１との間に衣類３０が挿入される隙間Ｓをあけて配置された第２壁２２と、を有し、一端側（図示において上側）が連結され、他端側（図示において下側）が挿入開口２０ａｍを形成する側面視でＵ字形状に構成された板状部材である。また、第１壁２１には、後述する固定操作部２３及び玩具保持部２０ｂが設けられている。
【００１８】
固定操作部２３は、図２に示すように、第１壁２１を挟んで第２壁２２とは反対側に配置される板状の操作ツマミ２３ａと、この操作ツマミ２３ａの一端側（図示において下端側）において該操作ツマミ２３ａの厚み方向（側面視で操作ツマミ２３ａが延出した方向に直交する方向）に突出する突起２３ｂとを有している。また、固定操作部２３は、突起２３ｂの基部を該固定操作部２３の幅方向に貫通する貫通孔２３ｈを備えており、この貫通孔２３ｈを貫通する支持軸２８によって第１壁２１に揺動可能に軸支される。詳細には、固定操作部２３は、突起２３ｂが第１壁２１に設けられた矩形状の開口２０ｈ内に配置されるが、この開口２０ｈの左右両側で第１壁２１の肉厚部２０ｓｂに形成された軸孔２０ｓｈを貫通する支持軸２８によって揺動可能に軸支される。
【００１９】
このように、固定操作部２３が第１壁２１に揺動可能に軸支されることで、突起２３ｂの先端部２３ｂｔは、揺動操作によって、隙間Ｓにおいて、衣類３０の挿入方向（図２においてＹ方向）に移動したり、第１壁２１と第２壁２２との対向方向（図２においてＸ方向）に移動される（図３参照）。
【００２０】
玩具保持部２０ｂは、第１壁２１において、第２壁２２とは反対側に立設された一対の突設壁２４，２４にて構成されている。この突設壁２４，２４は、例えば、開口２０ｈを左右方向（第１壁２１の幅方向）で挟む位置に平行に向き合うように上下方向に延びる縦壁部２４ａ，２４ａと、この縦壁部２４ａ，２４ａの立設先端部分からそれぞれ左右方向外側(開口２０ｈから離れる方向）に向かって第１壁２１と平行に延びる横壁部２４ｂ，２４ｂと、からなる横断面Ｌ字形状を有している。また、横壁部２４ｂ，２４ｂには、上下方向の略中断部分に、該横壁部２４ｂ，２４ｂの左右への突出幅を小さくする係止凹部２４ｋ，２４ｋが設けられている。
【００２１】
一方、図１に戻って、玩具１０の玩具本体１１の側面には、前掲の玩具保持部２０ｂと上下方向のスライド動作によって嵌合する保持部係合部１２が設けられている。この保持部係合部１２は、玩具本体１１の側面に突設された突出基部１１ｂ上に上下方向に沿って設けられた一対の対向壁１２ｗ，１２ｗ及び対向壁１２ｗの上端側に突設された上端壁１２ｕを有している。
【００２２】
この一対の対向壁１２ｗ，１２ｗは、玩具保持部２０ｂの突設壁２４，２４の横壁部２４ｂ，２４ｂの先端面２４ｂｔの外側に対面する縦壁１２ａと、横壁部２４ｂ，２４ｂの内側面２４ｂｂ（図３参照）に対面する横壁１２ｂと、からなる横断面Ｌ字形状を有している。したがって、保持部係合部１２は、玩具保持部２０ｂの横壁部２４ｂ，２４ｂを対向壁１２ｗ，１２ｗの内側に嵌め込むようにして係合される。
【００２３】
また、縦壁１２ａ，１２ａ夫々には、その上下方向の略中段部分に互いに向き合うように係止突起１２ｄ，１２ｄが突設されている。この係止突起１２ｄ，１２ｄは、玩具保持部２０ｂとの嵌合時に、前掲の係止凹部２４ｋ，２４ｋと嵌合することで、玩具１０と玩具用ホルダ２０の組み立て状態を維持する。また、上端壁１２ｕは、玩具保持部２０ｂの上端部２０ｂｕと当接して、該玩具保持部２０ｂの挿入位置を制限する。
【００２４】
このように構成された保持部係合部１２と玩具保持部２０ｂとの嵌合構造によって、玩具１０は、衣類取付部２０ａに対する衣類３０の挿入方向（図２にける矢印Ｙ方向）と同じ方向に沿って着脱される。
【００２５】
固定操作部２３は、前掲の如く支持軸２８を支点にして揺動することができるが、衣類３０を挟持しない所謂開放位置（図３（Ａ）参照）と、衣類３０を挟持する固定位置（図３（Ｂ）及び（Ｃ）参照）との間を揺動操作可能である。以下、図３を参照して、固定操作部２３の動作について説明する。
【００２６】
図３（Ａ）に示すように、固定操作部２３の操作ツマミ２３ａの先端が第１壁２１から大きく離れる方向に揺動（図３において矢印Ｅ方向の回転）された開放位置においては、突起２３ｂは、その先端部２３ｂｔが衣類３０の挿入方向Ｙの奥側、すなわち、支持軸２８よりも図中上側に位置している。したがって、この開放位置における突起２３ｂの先端部２３ｂｔと第２壁２２との対向間隔Ｌ０（図示では先端部２３ｂｔが第１壁２１の外側に後退しているので、実際には突起２３ｂの基部との間隔Ｌ０）は、第１固定位置（図３（Ｂ）参照）における突起２３ｂの先端部２３ｂｔと第２壁２２との対向間隔Ｌ１より大きい。この結果、開放位置においては、衣類３０が挿入される隙間Ｓは大きく、衣類３０の挿入し易い状態となっている。
【００２７】
次に、衣類３０を挟持する固定位置は、第１固定位置及び第２固定位置の二つの位置がある。
初めに、第１固定位置について説明すると、図３（Ｂ）に示すように、固定操作部２３の操作ツマミ２３ａが図中上方に起こされる方向に揺動（図３において矢印Ｅ１方向の回転）され、突起２３ｂの先端部２３ｂｔと第２壁２２との間に衣類３０を挟持可能な状態である。
【００２８】
次に、第２固定位置は、図３（Ｃ）に示すように、操作ツマミ２３ａが第１固定位置から更に立上る（操作ツマミ２３ａの先端が第１壁２１に更に接近する）方向に揺動（図３において矢印Ｅ２方向の回転）する。そして、操作ツマミ２３ａは、この第２固定位置において、第１壁２１に当接する。この第２固定位置において、突起２３ｂの隙間Ｓ内の位置は、第１固定位置の時よりも挿入開口２０ａｍ側（図中において下側）に位置している。したがって、第２固定位置における突起２３ｂの先端部２３ｂｔと第２壁２２との対向間隔Ｌ２は、第１固定位置における突起２３ｂの先端部２３ｂｔと第２壁２２との対向間隔Ｌ１より小さくなっている。
【００２９】
このように構成されていると、衣類３０が挟持された状態（図３（Ｂ）の状態）において、例えば、衣類３０に、衣類３０が衣類取付部２０ａから抜ける方向(図３（Ｃ）の矢印ｆ方向)の力が作用したときに、または、衣類取付部２０ａに、衣類取付部２０ａが衣類２０から外れる方向（図３（Ｃ）の矢印ｆ方向と反対の方向）の力が作用したときに突起２３ｂの先端部２３ｂｔが衣類３０に引き摺られて挿入開口２０ａｍ側に移動することができ、衣類３０の挟持力をさらに強くできる。
【００３０】
また、本実施形態においては、突起２３ｂの先端部２３ｂｔには、粗面加工が施されており、衣類３０との係合をより確実にできるように構成されている。
【００３１】
玩具用ホルダ２０の使用形態の一例について、図４を参照して説明する。
先ず、玩具用ホルダ２０の衣類取付部２０ａに衣類３０を挿入するとき、例えば、図４（Ａ）に示すように、操作ツマミ２３ａが上方に立上った状態で衣類３０を挿入すると、衣類３０の上縁部３０ｕが突起２３ｂの先端部２３ｂｔに当り該先端部２３ｂｔを上方に押すことで、先端部２３ｂｔが上方に逃げるよう揺動する。これにより、突起２３ｂと第２壁２２との間隔が広くされて、衣類３０の上縁部３０ｕが衣類取付部２０ａの奥まで押し込まれる（図４（Ｂ）の状態）。
【００３２】
その後、操作ツマミ２３ａを上方に立上るように起こして固定操作部２３を固定位置に揺動する(図４（Ｃ）の状態)。これにより、突起２３ｂの先端部２３ｂｔが衣類３０に食い込むようにして突起２３ｂと第２壁２２との間に衣類３０を固定する。ここで、操作ツマミ２３ａの固定位置は、前掲の第１固定位置或いは第２固定位置の何れでもよい。
【００３３】
このように玩具用ホルダ２０が衣類３０に固定された状態で、図４（Ｄ）に示すように、玩具保持部２０ｂの上端側から玩具１０の保持部係合部１２を嵌め込んで、下方に向ってスライドさせる。そして、この玩具１０のスライド移動を行うと、玩具１０の保持部係合部１２の上端壁１２ｕ（図１参照）が玩具保持部２０ｂの上端部２０ｂｕに当接してスライドが停止される。このスライドの停止と同時に係止突起１２ｄと係止凹部２４ｋとが嵌合し、玩具１０が衣類３０に固定される。
【００３４】
ここで、図４を用いた操作説明においては、操作ツマミ２３ａが第１壁２１側に沿うように立上った状態を、取付操作初期状態としたが、操作ツマミ２３ａは、操作者が操作ツマミ２３ａを第１壁２１から離れるように開いた状態（図３（Ａ）の状態）に操作してもよく、更には、操作ツマミ２３ａが、その重みで第１壁２１から離れるように開いた状態でもよい。
【００３５】
ホルダ付玩具１の使用形態の一例について、図５を参照して説明する。
ホルダ付玩具１は、図５に示すように、玩具１０と玩具用ホルダ２０とが組み立てられた状態のものである。すなわち、玩具１０の保持部係合部１２と玩具用ホルダ２０の玩具保持部２０ｂとが嵌合した状態である。したがって、固定操作部２３は、その操作ツマミ２３ａが、第１壁２１と玩具本体１１との間に位置され、保持部係合部１２の上端壁１２ｕと第１壁２１との間隔内でのみ揺動することができる状態、すなわち、揺動範囲が規制された状態となっている。
【００３６】
ホルダ付玩具１の使用形態の一例について、図６を参照して説明する。
ここでは、ホルダ付玩具１が衣類取付部２０ａを介して衣類３０に取付けられた状態において、玩具１０を玩具用ホルダ２０から取り外す場合について説明する。
先ず、図６（Ａ）に示すように、ホルダ付玩具１は、衣類取付部２０ａを介して衣類３０（ズボン等）の上縁部３０ｕに対して、上方から差し込むようにして取付けられている。この状態においては、ホルダ付玩具１は、固定操作部２３の突起２３ｂの先端部２３ｂｔが衣類３０を第２壁２２との間に挟み込んで該衣類３０に係止されている。
【００３７】
そして、玩具１０のみを取り外すときは、図６（Ｂ）に示すように、玩具本体１１を把持して上方（矢印Ｕ方向）へ引き上げるように力を加える。この引き上げる力によって、保持部係合部１２の係止突起１２ｄと横壁部２４ｂの係止凹部２４ｋとの係合が外れ、保持部係合部１２が玩具保持部２０ｂから上方に離れるようにスライドすると同時に、突起２３ｂの先端部２３ｂｔが衣類３０に引きずられて下方（矢印Ｄ方向）に向って引っ張られる。すなわち、玩具１０が上方に引き上げられた際に、玩具用ホルダ２０も上方に引かれることで、衣類３０が隙間Ｓから下方に抜けるように動く。この動きによって、突起２３ｂの先端部２３ｂｔが衣類３０との摩擦で下方に引っ張られて若干回転（矢印Ｅ２方向）し、先端部２３ｂｔと第２壁２２の間隔が狭まる（図３（Ｃ）参照）。
【００３８】
この結果、衣類３０と玩具用ホルダ２０の間の固定力が強まり、該玩具用ホルダ２０がしっかり固定された状態で玩具１０が上方に引き抜かれることとなる。また、この引抜操作の時は、操作ツマミ２３ａは、保持部係合部１２によって開く方向（反時計回り方向）への回動が位置規制されると共に、第１壁２１によって、第２固定位置を超えて更に回動する方向（時計回りの方向）への移動は阻止されている。
【００３９】
以上述べたように、本実施形態においては、衣類３０が第１壁２１と第２壁２２との隙間Ｓから抜ける場合に、第２壁２２との間で衣類３０を挟持している突起２３ｂは衣類３０に引きずられて隙間Ｓの挿入開口２０ａｍ側に移動され、突起２３ｂと第２壁２２との対向間隔が小さくなる。この結果、衣類３０が突起２３ｂと第２壁２２との間でより強く挟持されることとなり、衣類３０に対する玩具用ホルダ２０の固定強度が高まる。これにより、指先が器用に動かない子供や幼児でも取付け易く、また、取り外し時においては粗暴な取扱いをしても外れ難い玩具用ホルダ２０を提供できる。
【００４０】
また、本実施形態においては、外した玩具本体１１を再び玩具用ホルダ２０に取り付けようとしたとき、玩具本体１１に押されて玩具用ホルダ２０は衣類３０に対して下方へ移動しようとするので、突起２３ｂの先端部２３ｂｔは衣類３０に引きずられて上方に逃げるように揺動しようとするが、固定操作部２３において、揺動操作をする操作ツマミ２３ａが、第１壁２１と玩具本体１１との間で揺動位置が位置規制されるので、突起２３ｂも位置規制され、突起２３ｂと第２壁２２との間隔が所定範囲に維持されるので、衣類取付部２０ａの固定強度が維持される。この結果、外した玩具本体１１を再び玩具用ホルダ２０に取り付けるときにおける、玩具用ホルダ２０の取付け位置の位置ずれや傾きを抑制できる。
【００４１】
また、本実施形態においては、固定操作部２３の突起２３ｂの先端部２３ｂｔと、第２壁２２と、により構成される衣類３０の挿入される隙間Ｓは、この固定操作部２３の操作によって大きくできるので、玩具用ホルダ２０を衣類３０に取付けるときの操作性をよくできる。
【００４２】
また、本実施形態においては、操作ツマミ２３ａは、第２固定位置において、第１壁２１に当接するように設けられているので、玩具１０が粗暴に取り外されるなどして固定操作部２３の突起２３ｂに過大な力が作用した場合にも、第２固定位置を越えた固定操作部２３の揺動を阻止できる。したがって、固定操作部２３が第２固定位置を越えて揺動されると、突起２３ｂの先端部２３ｂｔと第２壁２２との対向間隔が再び拡大し、衣類３０に対する衣類取付部２０ａの固定強度が低下するが、第２固定位置を越える揺動が阻止されることによって衣類取付部２０ａの固定強度は維持される。
【００４３】
また、本実施形態においては、突起２３ｂの先端部２３ｂｔは、粗面加工が施されているので、衣類３０と接触した状態で引っ張られたとき、突起２３ｂの動作が容易になる。この結果、固定操作部２３が第１固定位置の状態で玩具用ホルダ２０を無理やり取り外そうとしたときに、突起２３ｂの先端部２３ｂｔが衣類３０の移動方向に引き込まれて、衣類３０を更に強く当接する第２固定位置に移動する動作がより容易である。
【００４４】
また、本実施形態においては、外された玩具本体１１を再び玩具用ホルダ２０に取り付けようとしたとき、玩具本体１１に押されて玩具用ホルダ２０は衣類３０に対して下方へ移動しようとするので、突起２３ｂの先端部２３ｂｔは衣類３０に引きずられて上方に逃げるように揺動しようとするが、固定操作部２３において、揺動操作をする操作ツマミ２３ａが、第１壁２１と玩具本体１１との間で揺動位置が位置規制されるので、突起２３ｂも位置規制され、突起２３ｂと第２壁２２との間隔が所定範囲に維持されるので、衣類取付部２０ａの固定強度が維持される。この結果、外した玩具本体１１を再び玩具用ホルダ２０に取り付けるときにおける、玩具用ホルダ２０の取付け位置の位置ずれや傾きを抑制できる。
【００４５】
以上、本発明の一実施形態について説明したが、本発明は前掲の実施形態に限定されるものではなく種々変更することができる。例えば、前掲の実施形態においては、固定操作部２３の操作ツマミ２３ａと突起２３ｂとの側面視での延出方向は、直交する方向であるが、操作ツマミ２３ａの延出方向等によって適宜角度に設定することができる。また、突起２３の形状においても、図示の形状に何ら制限されるものではない。
【符号の説明】
【００４６】
１        ホルダ付玩具
１０      玩具
１１      玩具本体
１２      保持部係合部
２０      玩具用ホルダ
２０ａ    衣類取付部
２０ａｍ  挿入開口
２０ｂ    玩具保持部
２１      第１壁
２２      第２壁
２３      固定操作部
２３ａ    操作ツマミ
２３ｂ    突起
２３ｂｔ  先端部
２４      突設壁
３０      衣類
Ｓ        隙間
【図１】
2018175307.tif 000003
【図２】
2018175307.tif 000004
【図３】
2018175307.tif 000005
【図４】
2018175307.tif 000006
【図５】
2018175307.tif 000007
【図６】
2018175307.tif 000008
【手続補正書】
【提出日】平成30年4月4日(2018.4.4)
【手続補正１】
【補正対象書類名】特許請求の範囲
【補正対象項目名】全文
【補正方法】変更
【補正の内容】
【特許請求の範囲】
【請求項１】
衣類に取付けられる衣類取付部と、
玩具を着脱可能に保持する玩具保持部と、
を備え、
前記衣類取付部は、
第１壁と、
前記第１壁との間に前記衣類が挿入される隙間をあけて配置された第２壁と、
前記第１壁に支持軸を介して揺動可能に軸支されており、揺動に応じて、先端部が前記支持軸を中心とした円弧上を移動することにより該先端部が前記隙間への前記衣類の挿入方向及び前記第１壁と前記第２壁との対向方向に前記隙間の内側で移動される突起を有する固定操作部と、
を含み、
前記固定操作部は、前記突起と前記第２壁との間で前記衣類を挟持する第１固定位置と、前記突起が前記第１固定位置よりも前記隙間の挿入開口側に配置される第２固定位置とに揺動可能であり、
前記第２固定位置における前記突起の先端部と前記第２壁との対向間隔は、前記第１固定位置における前記突起の先端部と前記第２壁との対向間隔より小さい玩具用ホルダ。
【請求項２】
請求項１記載の玩具用ホルダであって、
前記固定操作部は、前記突起が前記第１固定位置よりも前記挿入方向の奥側に配置される開放位置に揺動可能であり、
前記開放位置における前記突起の先端部と前記第２壁との対向間隔は、前記第１固定位置における前記突起の先端部と前記第２壁との対向間隔より大きい玩具用ホルダ。
【請求項３】
請求項１又は２記載の玩具用ホルダであって、
前記固定操作部は、前記第１壁を挟んで前記第２壁とは反対側に配置される操作ツマミをさらに有し、
前記操作ツマミは、前記第２固定位置において、前記第１壁に当接する玩具用ホルダ。
【請求項４】
請求項１〜３の何れか一項に記載の玩具用ホルダであって、
前記突起の先端部には、粗面加工が施されている玩具用ホルダ。
【請求項５】
請求項１〜４の何れか一項に記載の玩具用ホルダであって、
前記玩具が前記玩具保持部に対して前記挿入方向に沿って着脱される玩具用ホルダ。
【請求項６】
玩具と、
衣類に取付けられる衣類取付部及び前記玩具を着脱可能に保持する玩具保持部を有する玩具用ホルダと、
を備え
前記衣類取付部は、
第１壁と、
前記第１壁との間に前記衣類が挿入される隙間をあけて配置された第２壁と、
前記第１壁に支持軸を介して揺動可能に軸支されており、揺動に応じて、先端部が前記支持軸を中心とした円弧上を移動することにより該先端部が前記隙間への前記衣類の挿入方向及び前記第１壁と前記第２壁との対向方向に前記隙間の内側で移動される突起を有する固定操作部と、
を含み、
前記固定操作部は、前記突起と前記第２壁との間で前記衣類を挟持する第１固定位置と
、前記突起が前記第１固定位置よりも前記隙間の挿入開口側に配置される第２固定位置とに揺動可能であり、
前記第２固定位置における前記突起の先端部と前記第２壁との対向間隔は、前記第１固定位置における前記突起の先端部と前記第２壁との対向間隔より小さくなされ、
前記玩具は、前記玩具保持部に、前記第１壁を挟んで前記第２壁とは反対側に保持され、
前記固定操作部は、揺動操作をする操作ツマミが、前記第１壁と前記玩具本体との間で揺動位置規制される
ホルダ付玩具。
【手続補正２】
【補正対象書類名】明細書
【補正対象項目名】０００７
【補正方法】変更
【補正の内容】
【０００７】
本発明に係る玩具用ホルダは、衣類に取付けられる衣類取付部と、玩具を着脱可能に保持する玩具保持部と、を備え、前記衣類取付部は、第１壁と、前記第１壁との間に前記衣類が挿入される隙間をあけて配置された第２壁と、前記第１壁に揺動可能に軸支されており、揺動に応じて、前記隙間への前記衣類の挿入方向及び前記第１壁と前記第２壁との対向方向に前記隙間の内側で移動される突起を有する固定操作部と、を含み、前記固定操作部は、前記突起と前記第２壁との間で前記衣類を挟持する第１固定位置と、前記突起が前記第１固定位置よりも前記隙間の挿入開口側に配置される第２固定位置とに揺動可能であり、前記第２固定位置における前記突起の先端部と前記第２壁との対向間隔は、前記第１固定位置における前記突起の先端部と前記第２壁との対向間隔より小さいことを特徴とする。また、本発明に係る玩具用ホルダは、衣類に取付けられる衣類取付部と、玩具を着脱可能に保持する玩具保持部と、を備え、前記衣類取付部は、第１壁と、前記第１壁との間に前記衣類が挿入される隙間をあけて配置された第２壁と、前記第１壁に支持軸を介して揺動可能に軸支されており、揺動に応じて、先端部が前記支持軸を中心とした円弧上を移動することにより該先端部が前記隙間への前記衣類の挿入方向及び前記第１壁と前記第２壁との対向方向に前記隙間の内側で移動される突起を有する固定操作部と、を含み、前記固定操作部は、前記突起と前記第２壁との間で前記衣類を挟持する第１固定位置と、前記突起が前記第１固定位置よりも前記隙間の挿入開口側に配置される第２固定位置とに揺動可能であり、前記第２固定位置における前記突起の先端部と前記第２壁との対向間隔は、前記第１固定位置における前記突起の先端部と前記第２壁との対向間隔より小さいことを特徴とする。
【手続補正３】
【補正対象書類名】明細書
【補正対象項目名】００１２
【補正方法】変更
【補正の内容】
【００１２】
また、本発明に係るホルダ付玩具は、玩具と、衣類に取付けられる衣類取付部及び前記玩具を着脱可能に保持する玩具保持部を有するホルダと、を備え前記衣類取付部は、第１壁と、前記第１壁との間に前記衣類が挿入される隙間をあけて配置された第２壁と、前記第１壁に揺動可能に軸支されており、揺動に応じて、前記隙間への前記衣類の挿入方向及び前記第１壁と前記第２壁との対向方向に前記隙間の内側で移動される突起を有する固定操作部と、を含み、前記固定操作部は、前記突起と前記第２壁との間で前記衣類を挟持する第１固定位置と、前記突起が前記第１固定位置よりも前記隙間の挿入開口側に配置される第２固定位置とに揺動可能であり、前記第２固定位置における前記突起の先端部と前記第２壁との対向間隔は、前記第１固定位置における前記突起の先端部と前記第２壁との対向間隔より小さくなされ、前記玩具は、前記玩具保持部に、前記第１壁を挟んで前記第２壁とは反対側に保持され、前記固定操作部は、揺動操作をする操作ツマミが、前記第１壁と前記玩具本体との間で揺動位置規制されることを特徴とする。また、本発明に係る玩具用ホルダは、玩具と、衣類に取付けられる衣類取付部及び前記玩具を着脱可能に保持する玩具保持部を有する玩具用ホルダと、を備え、前記衣類取付部は、第１壁と、前記第１壁との間に前記衣類が挿入される隙間をあけて配置された第２壁と、前記第１壁に支持軸を介して揺動可能に軸支されており、揺動に応じて、先端部が前記支持軸を中心とした円弧上を移動することにより該先端部が前記隙間への前記衣類の挿入方向及び前記第１壁と前記第２壁との対向方向に前記隙間の内側で移動される突起を有する固定操作部と、を含み、前記固定操作部は、前記突起と前記第２壁との間で前記衣類を挟持する第１固定位置と、前記突起が前記第１固定位置よりも前記隙間の挿入開口側に配置される第２固定位置とに揺動可能であり、  前記第２固定位置における前記突起の先端部と前記第２壁との対向間隔は、前記第１固定位置における前記突起の先端部と前記第２壁との対向間隔より小さくなされ、前記玩具は、前記玩具保持部に、前記第１壁を挟んで前記第２壁とは反対側に保持され、前記固定操作部は、揺動操作をする操作ツマミが、前記第１壁と前記玩具本体との間で揺動位置規制されることを特徴とする。